(57)【要約】【課題】コンディショナルアクセス（ＣＡ）カードの挿抜操作や移動なしに、当該一のＣＡカードに係る視聴契約による視聴権限に基づく便益を、同一の視聴期間中には排他的に、複数のデジタル放送受信機間で、各個に共通に享受できるようにする。【解決手段】視聴契約済の複数のＣＡカード１１０，１２０を各個に対応するデジタル放送受信機２００，３００のコンディショナルアクセス機能部２３０に装着し、これら複数のＣＡカード１１０，１２０が生成する暗号鍵を、デジタル放送受信機２００，３００の各コンディショナルアクセス機能部２３０による相互管理の下でネットワーク４２０を通して融通することによりスクランブル解除処理を可能にして、ＣＡカードの差し替えを要さずに視聴契約が結ばれた放送ないし番組を排他的に視聴できるようにしたもの。【選択図】図１
2008035222.tif 000002
【特許請求の範囲】
【請求項１】
コンディショナルアクセスに適合する複数のデジタル放送受信機が伝送路で結ばれて構成されたコンディショナルアクセスシステムであって、
前記複数の各デジタル放送受信機は、放送信号を選択的に受信するチューナ部と、前記コンディショナルアクセスを行うためのコンディショナルアクセス機能部と、前記コンディショナルアクセス機能部から供給されるスクランブル解除の為の暗号鍵のデータを受けて前記チューナ部で受信した放送信号に対してスクランブル解除処理を実行するスクランブル解除部と、前記チューナ部、および、スクランブル解除部を含む各部を統括的に制御すると共に前記コンディショナルアクセス機能部との通信を行う第１システムコントローラと、を備えて構成され、且つ、
前記コンディショナルアクセス機能部は、所定のコンディショナルアクセスカードとのデータの授受を行うためのコンディショナルアクセスカードインターフェース部と、自機と前記伝送路で結ばれたデジタル放送受信機のコンディショナルアクセス機能部とのデータの授受を行う伝送路インターフェース部と、前記コンディショナルアクセスカードインターフェース部を通して接続されたコンディショナルアクセスカードと前記伝送路インターフェース部を通して接続されたデジタル放送受信機のコンディショナルアクセス機能部との間でコンディショナルアクセスに係るデータの授受を調停して、自己のコンディショナルアクセスカードインターフェース部に接続されたコンディショナルアクセスカードおよび前記伝送路で結ばれたデジタル放送受信機におけるコンディショナルアクセス機能部のコンディショナルアクセスカードインターフェース部に接続されたコンディショナルアクセスカードとの少なくとも何れかによる一または複数の視聴権限を当該複数のデジタル放送受信機の間で排他的に共有することを許容するように制御を行うと共に前記第１システムコントローラとの通信を実行する第２システムコントローラと、を備えて構成されていることを特徴とするコンディショナルアクセスシステム。
【請求項２】
前記コンディショナルアクセス機能部の伝送路インターフェース部は、ネットワークを通してデータの授受を行うネットワークインターフェース部によって構成されていることを特徴とする請求項１に記載のコンディショナルアクセスシステム。
【請求項３】
前記デジタル放送受信機におけるコンディショナルアクセス機能部の前記第２システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを前記第１システムコントローラ側に送信するべく制御を実行するように構成されていることを特徴とする請求項１に記載のコンディショナルアクセスシステム。
【請求項４】
前記デジタル放送受信機におけるコンディショナルアクセス機能部の前記第２システムコントローラは、当該デジタル放送受信機において、何れのコンディショナルアクセスカードに関しても視聴契約が締結されていない放送ないし番組の視聴を行うための操作が行われたときには、当該デジタル放送受信機の前記第１システムコントローラに向けて、視聴に関する視聴契約は未締結である旨の未契約メッセージを送信するべく制御を実行するように構成されていることを特徴とする請求項１に記載のコンディショナルアクセスシステム。
【請求項５】
コンディショナルアクセスに適合する複数のデジタル放送受信機が伝送路で結ばれて構成されたコンディショナルアクセスシステムに適合するデジタル放送受信機であって、
放送信号を選択的に受信するチューナ部と、前記コンディショナルアクセスを行うためのコンディショナルアクセス機能部と、前記コンディショナルアクセス機能部から供給されるスクランブル解除の為の暗号鍵のデータを受けて前記チューナ部で受信した放送信号に対してスクランブル解除処理を実行するスクランブル解除部と、前記チューナ部、および、スクランブル解除部を含む各部を統括的に制御すると共に前記コンディショナルアクセス機能部との通信を行う第１システムコントローラと、を備えて構成され、且つ、
前記コンディショナルアクセス機能部は、所定のコンディショナルアクセスカードとのデータの授受を行うためのコンディショナルアクセスカードインターフェース部と、自機と前記伝送路で結ばれたデジタル放送受信機のコンディショナルアクセス機能部とのデータの授受を行う伝送路インターフェース部と、前記コンディショナルアクセスカードインターフェース部を通して接続されたコンディショナルアクセスカードと前記伝送路インターフェース部を通して接続されたデジタル放送受信機のコンディショナルアクセス機能部との間でコンディショナルアクセスに係るデータの授受を調停して、自己のコンディショナルアクセスカードインターフェース部に接続されたコンディショナルアクセスカードおよび前記伝送路で結ばれたデジタル放送受信機におけるコンディショナルアクセス機能部のコンディショナルアクセスカードインターフェース部に接続されたコンディショナルアクセスカードとの少なくとも何れかによる一または複数の視聴権限を当該複数のデジタル放送受信機の間で排他的に共有することを許容するように制御を行うと共に前記第１システムコントローラとの通信を実行する第２システムコントローラと、を備えて構成されていることを特徴とするデジタル放送受信機。
【請求項６】
前記コンディショナルアクセス機能部の伝送路インターフェース部は、ネットワークを通してデータの授受を行うネットワークインターフェース部によって構成されていることを特徴とする請求項５に記載のデジタル放送受信機。
【請求項７】
前記コンディショナルアクセス機能部の第２システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを前記第１システムコントローラ側に送信するべく制御を実行するように構成されていることを特徴とする請求項５に記載のデジタル放送受信機。
【請求項８】
前記コンディショナルアクセス機能部の第２システムコントローラは、当該デジタル放送受信機において、何れのコンディショナルアクセスカードに関しても視聴契約が締結されていない放送ないし番組の視聴を行うための操作が行われたときには、当該デジタル放送受信機の前記第１システムコントローラに向けて、視聴に関する視聴契約は未締結である旨の未契約メッセージを送信するべく制御を実行するように構成されていることを特徴とする請求項５に記載のデジタル放送受信機。
【発明の詳細な説明】
【技術分野】
【０００１】
本発明は、コンディショナルアクセスシステム、および、該コンディショナルアクセスシステムに属するデジタル放送受信機（デジタル放送受像機やＨＤＤ/ＤＶＤ レコーダー等の録画装置、その他）に関し、より詳細には、一のコンディショナルアクセスカードに係る視聴契約による視聴権限を、同一の視聴期間中には排他的になるようにしつつ、一のコンディショナルアクセスシステムに属する複数のデジタル放送受信機間で、各個に共通に享受することができるようにするための技術に関する。
【背景技術】
【０００２】
近年、デジタルテレビジョン放送では、多くの放送は、スクランブル（暗号）がかけられている。これはＣＡＳ（Conditional Access System）とも称呼される限定受信システムであって、有料放送のために考案されたものである。受信契約（視聴契約）を締結した顧客のみがその放送を視聴でき、契約者以外は視聴できないように放送信号をスクランブルしておき、契約者（その受信機）にはこのスクランブルを解く暗号鍵が提供される（一般的には、放送電波にのせて送信される）。
【０００３】
上述のようなＣＡＳの暗号を復号する暗号鍵を得て所望の放送ないし番組を視聴するにはＩＣカード（コンディショナルアクセスカード）が必要である。即ち、日本でのＢＳデジタル放送、地上デジタル放送、１１０度ＣＳデジタル放送のＣＡＳであるＢ−ＣＡＳを視聴するにはＩＣカードとしてＢＣＡＳカードが必要であり、デジタルケーブルテレビのＣＡＳであるＣ−ＣＡＳを視聴するにはＣＣＡＳカードが必要である。
【０００４】
例えば、衛星デジタル放送の視聴を希望する顧客は、アンテナとデジタルチューナを購入し、受信契約書に所定事項（視聴、従って、購入を希望する放送ないし番組等）を記入して自ら郵送するか、或いは、販売店などに依頼して同様の手続きを代行して貰う。デジタル放送局側では、受信契約書を受け取ると、記載された情報を顧客管理システムに登録し、登録された情報に基づいて生成された顧客個別の情報及びスクランブル解除の為の鍵情報からなるＥＭＭ（Entitlement Management Message）データを衛星放送の電波に適宜挿入して送出する。顧客がこの衛星からの電波を受信すると、ＥＭＭデータがデジタルチューナにセットされるＩＣカードに書き込まれることによりスクランブルを解除する機能が有効になって、放送ないし番組の視聴が可能となる。
【０００５】
実際には、電話、ＦＡＸ、或いは、インターネットなどを介して仮登録を行うことによって一定期間のみスクランブルを解除して放送ないし番組の視聴を可能にし、この期間内に正規の登録手続きを行うという方法により、受信契約書による正規登録の手続きを待たず直ちに視聴したいという要望に対処している。
しかしながら、たとえ仮登録が完了しても、衛星放送の電波を利用して、放送スケジュールに従って適宜ＥＭＭを送出しているので、スクランブル解除の明確な日時を提示することができないといった問題があった。このような問題に対処する方法は、既に提案されている。
【０００６】
一つの提案では、前記送信側は、前記受信側のコンディショナルアクセスに使用する受信機と通信を行う通信手段と、該受信機のＩＤ情報及び／又は該受信機を特定することが可能なＩＤ情報を取り込むＩＤ取得手段と、該ＩＤ取得手段により取り込んだＩＤ情報に基づき、サービスチャンネルの視聴が可能となる予定日時情報を生成して受信側に提示する視聴可能予定日時提示手段とを具備し、ＥＭＭ送出のスケジューリングを自動化することによってスクランブルが解除されて視聴が可能となる日時を明確にするというものである。
【０００７】
視聴契約が急増した場合でも明確なスクランブル解除日時を提示することができ、ユーザ側ではスクランブル解除されているか否かを何度も確認するような手間が無くなり、ＥＭＭデータ送出予定日時の前の直近になった場合、自動又は手動で受信機が該当するサービスチャンネルを受信できるように設定しておけば、ＥＭＭデータの受信忘れを防止することもできるとされている（特許文献１参照）。
【特許文献１】特開２００２−２８１４７１号公報（段落０００２〜段落０００８、段落００３５、図１）
【発明の開示】
【発明が解決しようとする課題】
【０００８】
一方、視聴契約が成立して後、実際に放送ないし番組の視聴が行なわれる場面では、コンディショナルアクセスカードにより視聴制御されるデジタル放送受像機やＨＤＤ/ＤＶＤ レコーダー等の録画装置、或いはまた、セットトップボックスなどのデジタル放送受信機では、機器本体と機器に同梱されるコンディショナルアクセスカードが一組で使用されることが一般的である。
【０００９】
ところで、近年デジタル放送受信機の低価格化により一般家庭への普及が急速に拡大しつつあり、一つの家庭に複数台のデジタル放送受信機が設置されることも珍しくない。しかし有料放送ないし番組の視聴契約を行った場合には契約処理を行ったデジタル放送受信機に挿入されるコンディショナルアクセスカードに視聴権限が記録されるため、家庭内の他のデジタル放送受信機では有料放送ないし番組の視聴ができない。
【００１０】
例えばリビングのデジタル放送受信機で有料放送ないし番組を視聴していて続きを寝室のデジタル放送受信機で視聴したい場合、前者のデジタル放送受信機から後者へとコンディショナルアクセスカードの差し替えを行なえば寝室のデジタル放送受信機でも有料放送ないし番組が視聴可能となるが、この種の機器における平生の使用状況では滅多に行うことのないコンディショナルアクセスカードの挿抜操作や移動は煩雑であり余り現実的ではない。
【００１１】
既述の特許文献１における提案でも、このような視点からの技術課題の認識はなく、従って、当然ながら、このような課題への対処法についても提案がない。
本発明は上述のような状況に鑑みてなされたものであり、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができるようにする技術を提供することを目的としている。
【課題を解決するための手段】
【００１２】
上記課題を解決するべく、本願では次に列記するような技術を提案する。
（１）コンディショナルアクセスに適合する複数のデジタル放送受信機が伝送路で結ばれて構成されたコンディショナルアクセスシステムであって、
前記複数の各デジタル放送受信機は、放送信号を選択的に受信するチューナ部と、前記コンディショナルアクセスを行うためのコンディショナルアクセス機能部と、前記コンディショナルアクセス機能部から供給されるスクランブル解除の為の暗号鍵のデータを受けて前記チューナ部で受信した放送信号に対してスクランブル解除処理を実行するスクランブル解除部と、前記チューナ部、および、スクランブル解除部を含む各部を統括的に制御すると共に前記コンディショナルアクセス機能部との通信を行う第１システムコントローラと、を備えて構成され、且つ、
前記コンディショナルアクセス機能部は、所定のコンディショナルアクセスカードとのデータの授受を行うためのコンディショナルアクセスカードインターフェース部と、自機と前記伝送路で結ばれたデジタル放送受信機のコンディショナルアクセス機能部とのデータの授受を行う伝送路インターフェース部と、前記コンディショナルアクセスカードインターフェース部を通して接続されたコンディショナルアクセスカードと前記伝送路インターフェース部を通して接続されたデジタル放送受信機のコンディショナルアクセス機能部との間でコンディショナルアクセスに係るデータの授受を調停して、自己のコンディショナルアクセスカードインターフェース部に接続されたコンディショナルアクセスカードおよび前記伝送路で結ばれたデジタル放送受信機におけるコンディショナルアクセス機能部のコンディショナルアクセスカードインターフェース部に接続されたコンディショナルアクセスカードとの少なくとも何れかによる一または複数の視聴権限を当該複数のデジタル放送受信機の間で排他的に共有することを許容するように制御を行うと共に前記第１システムコントローラとの通信を実行する第２システムコントローラと、を備えて構成されていることを特徴とするコンディショナルアクセスシステム。
【００１３】
上記（１）のコンディショナルアクセスシステムでは、コンディショナルアクセス機能部を有する複数のデジタル放送受信機が伝送路で結ばれ、各デジタル放送受信機における前記コンディショナルアクセス機能部のコンディショナルアクセスカードインターフェース部に接続されている複数のコンディショナルアクセスカードの少なくとも何れかに関して締結されている一または複数の放送ないし番組の視聴契約に基づいて、コンディショナルアクセス機能部の第２システムコントローラが、複数のデジタル放送受信機間で、同一のコンディショナルアクセスカードおよび同一の視聴期間中については排他的になるようにして視聴契約を遵守しつつ、各個のデジタル放送受信機に共通に、当該視聴契約に基づく視聴権限による便益を享受することができるように調停する。
【００１４】
これにより、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができる。
【００１５】
（２）前記コンディショナルアクセス機能部の伝送路インターフェース部は、ネットワークを通してデータの授受を行うネットワークインターフェース部によって構成されていることを特徴とする（１）のコンディショナルアクセスシステム。
上記（２）のコンディショナルアクセスシステムでは、（１）のコンディショナルアクセスシステムによる作用において特に、コンディショナルアクセス機能部の伝送路インターフェースは、ネットワークを通してデータの授受を行うネットワークインターフェース部によって構成されているため、当該コンディショナルアクセスシステムに属する複数の各デジタル放送受信機の各個の本体の配置に拘束されずにネットワークを通して支障なく所要のデータの授受を行うことができる。
【００１６】
（３）前記デジタル放送受信機におけるコンディショナルアクセス機能部の前記第２システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを前記第１システムコントローラ側に送信するべく制御を実行するように構成されていることを特徴とする（１）のコンディショナルアクセスシステム。
【００１７】
上記（３）のコンディショナルアクセスシステムでは、（１）のコンディショナルアクセスシステムによる作用において特に、デジタル放送受信機におけるコンディショナルアクセス機能部の第２システムコントローラは、複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを第１システムコントローラ側に送信するように制御を実行する。
これにより、同一のコンディショナルアクセスカードおよび同一の視聴期間中については排他的に当該放送ないし番組の視聴が許容され、従って、視聴契約が遵守された上で、各個のデジタル放送受信機に共通に、当該視聴契約に基づく当該放送ないし番組が可能になるという便益が得られる。
【００１８】
（４）前記デジタル放送受信機におけるコンディショナルアクセス機能部の前記第２システムコントローラは、当該デジタル放送受信機において、何れのコンディショナルアクセスカードに関しても視聴契約が締結されていない放送ないし番組の視聴を行うための操作が行われたときには、当該デジタル放送受信機の前記第１システムコントローラに向けて、視聴に関する視聴契約は未締結である旨の未契約メッセージを送信するべく制御を実行するように構成されていることを特徴とする（１）のコンディショナルアクセスシステム。
【００１９】
上記（４）のコンディショナルアクセスシステムでは、（１）のコンディショナルアクセスシステムによる作用において特に、デジタル放送受信機におけるコンディショナルアクセス機能部の第２システムコントローラは、当該デジタル放送受信機において、何れのコンディショナルアクセスカードに関しても視聴契約が締結されていない放送ないし番組の視聴を行うための操作が行われたときには、当該デジタル放送受信機の第１システムコントローラに向けて、視聴に関する視聴契約は未締結である旨の未契約メッセージを送信するべく制御を実行する。
これにより、当該デジタル放送受信機のユーザは、視聴契約が未締結であるが故に放送ないし番組の視聴ができない（スクランブル解除処理が実行され得ない）ことを的確に認識することができる。
【００２０】
（５）コンディショナルアクセスに適合する複数のデジタル放送受信機が伝送路で結ばれて構成されたコンディショナルアクセスシステムに適合するデジタル放送受信機であって、
放送信号を選択的に受信するチューナ部と、前記コンディショナルアクセスを行うためのコンディショナルアクセス機能部と、前記コンディショナルアクセス機能部から供給されるスクランブル解除の為の暗号鍵のデータを受けて前記チューナ部で受信した放送信号に対してスクランブル解除処理を実行するスクランブル解除部と、前記チューナ部、および、スクランブル解除部を含む各部を統括的に制御すると共に前記コンディショナルアクセス機能部との通信を行う第１システムコントローラと、を備えて構成され、且つ、
前記コンディショナルアクセス機能部は、所定のコンディショナルアクセスカードとのデータの授受を行うためのコンディショナルアクセスカードインターフェース部と、自機と前記伝送路で結ばれたデジタル放送受信機のコンディショナルアクセス機能部とのデータの授受を行う伝送路インターフェース部と、前記コンディショナルアクセスカードインターフェース部を通して接続されたコンディショナルアクセスカードと前記伝送路インターフェース部を通して接続されたデジタル放送受信機のコンディショナルアクセス機能部との間でコンディショナルアクセスに係るデータの授受を調停して、自己のコンディショナルアクセスカードインターフェース部に接続されたコンディショナルアクセスカードおよび前記伝送路で結ばれたデジタル放送受信機におけるコンディショナルアクセス機能部のコンディショナルアクセスカードインターフェース部に接続されたコンディショナルアクセスカードとの少なくとも何れかによる一または複数の視聴権限を当該複数のデジタル放送受信機の間で排他的に共有することを許容するように制御を行うと共に前記第１システムコントローラとの通信を実行する第２システムコントローラと、を備えて構成されていることを特徴とするデジタル放送受信機。
【００２１】
上記（５）のデジタル放送受信機では、伝送路で結ばれた各デジタル放送受信機におけるコンディショナルアクセス機能部のコンディショナルアクセスカードインターフェース部に接続されている複数のコンディショナルアクセスカードの少なくとも何れかに関して締結されている一または複数の放送ないし番組の視聴契約に基づいて、コンディショナルアクセス機能部の第２システムコントローラが、複数のデジタル放送受信機間で、同一のコンディショナルアクセスカードおよび同一の視聴期間中については排他的になるようにして視聴契約を遵守しつつ、各個のデジタル放送受信機に共通に、当該視聴契約に基づく視聴権限による便益を享受することができるように調停する。
【００２２】
これにより、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができる。
【００２３】
（６）前記コンディショナルアクセス機能部の伝送路インターフェースは、ネットワークを通してデータの授受を行うネットワークインターフェース部によって構成されていることを特徴とする（５）のデジタル放送受信機。
上記（６）のデジタル放送受信機では、（５）のデジタル放送受信機による作用において特に、コンディショナルアクセス機能部の伝送路インターフェースは、ネットワークを通してデータの授受を行うネットワークインターフェース部によって構成されているため、当該コンディショナルアクセスシステムに属する複数の各デジタル放送受信機の各個の本体の配置に拘束されずにネットワークを通して支障なく所要のデータの授受を行うことができる。
【００２４】
（７）前記コンディショナルアクセス機能部の第２システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを前記第１システムコントローラ側に送信するべく制御を実行するように構成されていることを特徴とする（５）のデジタル放送受信機。
【００２５】
上記（７）のデジタル放送受信機では、（５）のデジタル放送受信機による作用において特に、前記コンディショナルアクセス機能部の第２システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを第１システムコントローラ側に送信するべく制御を実行する。
【００２６】
このため、同一のコンディショナルアクセスカードおよび同一の視聴期間中については排他的に当該放送ないし番組の視聴が許容され、従って、視聴契約が遵守された上で、各個のデジタル放送受信機に共通に、当該視聴契約に基づく当該放送ないし番組が可能になるという便益が得られる。
また、状況に応じて、デジタル放送受信機のユーザは、他機が優先して排他的に当該放送ないし番組を視聴しているが故に放送ないし番組の視聴ができない（スクランブル解除処理が実行され得ない）ことを的確に認識することができる。
【００２７】
（８）前記コンディショナルアクセス機能部の第２システムコントローラは、当該デジタル放送受信機において、何れのコンディショナルアクセスカードに関しても視聴契約が締結されていない放送ないし番組の視聴を行うための操作が行われたときには、当該デジタル放送受信機の前記第１システムコントローラに向けて、視聴に関する視聴契約は未締結である旨の未契約メッセージを送信するべく制御を実行するように構成されていることを特徴とする（５）のデジタル放送受信機。
【００２８】
上記（８）のデジタル放送受信機では、（５）のデジタル放送受信機による作用において特に、コンディショナルアクセス機能部の第２システムコントローラは、当該デジタル放送受信機において、何れのコンディショナルアクセスカードに関しても視聴契約が締結されていない放送ないし番組の視聴を行うための操作が行われたときには、当該デジタル放送受信機の第１システムコントローラに向けて、視聴に関する視聴契約は未締結である旨の未契約メッセージを送信するべく制御を実行する。
このため、当該デジタル放送受信機のユーザは、視聴契約が未締結であるが故に放送ないし番組の視聴ができない（スクランブル解除処理が実行され得ない）ことを的確に認識することができる。
【発明を実施するための最良の形態】
【００２９】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのコンディショナルアクセスシステムを表すブロック図である。
【００３０】
図１において、複数のデジタル放送受信機としての第１のデジタル放送受信機２００および第２のデジタル放送受信機３００が伝送路４００で結ばれてコンディショナルアクセスシステム１０が構成されている。第１のデジタル放送受信機２００には第１のカードスロット１０１が設けられ、第２のデジタル放送受信機３００には第２のカードスロット１０２が設けられて、それぞれにコンディショナルアクセスカードが装着され得るように構成されている。
【００３１】
図１のコンディショナルアクセスシステム１０では、第１のカードスロット１０１には、当初は第１のデジタル放送受信機２００とセットで取り扱われる（通常の場合、同梱されていてセットとして流通している）第１のコンディショナルアクセスカード１１０（図では、第１のＣＡカードと略記）が装着され、第２のカードスロット１０２には、当初は第２のデジタル放送受信機３００とセットで取り扱われる第２のコンディショナルアクセスカード１２０（図では、第２のＣＡカードと略記）が装着される。
【００３２】
また、第１のデジタル放送受信機２００および第２のデジタル放送受信機３００は、それぞれ同様の構成を有するデジタル放送受像機であり得る。但し、本発明の技術思想では、デジタル放送受信機は、図示のような例に限られず、本明細書で説明するように自機と対応するコンディショナルアクセスカードに関して視聴契約が締結された放送ないし番組について視聴が許容されるようなコンディショナルアクセス機能部を含む、例えば、ＨＤＤ/ＤＶＤレコーダー等の録画装置やセットトップボックス或いはその他の映像機器であり得る。
尚、本例の伝送路４００はハブ４１０を含んで構成されるネットワーク４２０の形態を採っている。
【００３３】
図２は、図１のコンディショナルアクセスシステム１０における第１のデジタル放送受信機としてのデジタル放送受像機２００の構成を表すブロック図である。既述のとおり、図１の例で想定しているコンディショナルアクセスシステム１０では、第２のデジタル放送受信機としてのデジタル放送受像機３００も、第１のデジタル放送受信機としてのデジタル放送受像機２００と同様の構成を有する。
【００３４】
このデジタル放送受像機２００は、アンテナ２０１から放送信号を選択的に受信するためのチューナ部としてのデジタルチューナ２０２、デジタルチューナ２０２の出力であるトランスポートストリーム（トランスポートパケット）に関し選別を行うパケットフィルタ２０３、コンディショナルアクセスを行うためのコンディショナルアクセス機能部２３０と、コンディショナルアクセス機能部２３０から供給されるスクランブル解除の為の暗号鍵のデータを受けて、デジタルチューナ２０２で受信しパケットフィルタ２０３で選別した放送信号のトランスポートパケットに対して、この暗号鍵のデータを用いてスクランブル解除処理を実行するスクランブル解除部２０４を有する。
【００３５】
デジタル放送受像機２００には、更に、スクランブル解除部２０４でスクランブル解除処理が施された映像および音声のデータに対してＭＰＥＧデコード処理を施すＭＰＥＧデコーダ２０５、文字や図形などを表示するためのグラフィックデータを生成するグラフィック描画部２０６、ＭＰＥＧデコーダ２０５の映像出力とグラフィック描画部２０６の出力とを合成して図示されない表示器へ供給する映像出力を得る画像合成部２０７が備えられている。グラフィック描画部２０６は図７および図８を参照して後述するような特定のメッセージを表示する機能をも有する。
上述のようにコンディショナルアクセス機能部２３０に装着されたコンディショナルアクセスカード１１０（１２０）により生成されたスクランブル解除の為の暗号鍵のデータは、このコンディショナルアクセス機能部２３０を通してこのデジタル放送受信機２００（そのスクランブル解除部２０４）に供給される。
【００３６】
更に、デジタルチューナ２０２およびスクランブル解除部２０４を含む各部を統括的に制御すると共にコンディショナルアクセス機能部２３０と通信を行うように構成された第１システムコントローラ２２０が設けられている。この第１システムコントローラ２２０には、ＲＡＭ２１０およびＲＯＭ２１１が附設され、ＲＡＭ２１０を利用してアンテナで受信したコンテンツに係る所要の処理を実行し、一方、ＲＯＭ２１１には、基本的な制御のアルゴリズムを規定するプログラム、その他、所要の制御定数やパラメータ等々のデータが格納されており、所要のタイミングで第１システムコントローラ２２０にこれらのデータが読み込まれて制御動作が営まれる。
尚、リモコン２１２からの操作信号を受けるリモコンインターフェース部２１３が設けられ、リモコン２１２による種々の操作が受付けられて第１システムコントローラ２２０に供給されることによって、種々の遠隔操作が実現される。
【００３７】
図３は、図２のデジタル放送受信機２００におけるコンディショナルアクセス機能部２３０の構成を表すブロック図である。このコンディショナルアクセス機能部２３０は、ひとまとまりのコンディショナルアクセスユニットとしてモジュール化された構成を採り得るものであり、第１のコンディショナルアクセスカード１１０とのデータの授受（敢えて差し替えられれば第２のコンディショナルアクセスカード１２０乃至その他とも可能）を行うためのコンディショナルアクセスカードインターフェース部２３１が設けられている。コンディショナルアクセスカードインターフェース部２３１は上述の第１のカードスロット１０１（図１）を含んで構成される。
【００３８】
コンディショナルアクセス機能部２３０には、また、第２のデジタル放送受信機３００とのデータの授受を行うための伝送路インターフェースとしてのネットワークインターフェース部２３２が設けられている。このネットワークインターフェース部２３２が図１を参照して説明したハブ４１０を含むネットワーク４２０と結ばれる。
コンディショナルアクセスカードインターフェース部２３１を通して接続された第１のコンディショナルアクセスカード１１０と、伝送路インターフェース（即ち、ネットワークインターフェース部）２３２を通して接続された第２のデジタル放送受信機３００との間でコンディショナルアクセスに係るデータの授受を調停して当該複数のコンディショナルアクセスカード１１０、１２０（図１）による複数の視聴権限を第１および第２のデジタル放送受信機２００、３００の間で排他的に共有することを許容するように制御を実行する第２システムコントローラ２４０が設けられている。
【００３９】
この第２システムコントローラ２４０には、基本的な制御のアルゴリズムを規定するプログラム、その他、所要の制御定数やパラメータ等々のデータが格納されたＲＯＭ２４１、および、本コンディショナルアクセス機能部２３０における動作のシーケンスの推移に係るステータスの一時的保持（図５および図６を参照して後述する「参照機器ＭＡＣアドレスリスト」や「機器管理テーブル」の形で保持される）や所要の演算に用いるためのＲＡＭ２４２が附設されている。
【００４０】
図１を参照して説明した本発明の実施の形態としてのコンディショナルアクセスシステムでは、このコンディショナルアクセスシステム１０に所属する１台のデジタル放送受信機（そのコンディショナルアクセス機能部）から見て、１枚のコンディショナルアクセスカードに関する視聴契約に基づく視聴権限を排他的に共有することとなっている相手方のデジタル放送受信機（そのコンディショナルアクセス機能部）は何れであるかを、当該相手方のデジタル放送受信機（そのコンディショナルアクセス機能部）に対して割り当てられたＭＡＣアドレスに依拠して識別する。
この識別を行なうために依拠するＭＡＣアドレス（参照機器ＭＡＣアドレス）は、当初の準備操作時に、ユーザが、該当するデジタル放送受信機に対してリモコンから操作を行うことによって登録される。
【００４１】
図４は、本発明に係る参照機器ＭＡＣアドレスをユーザが入力するためのユーザインターフェース画面を表す図である。図２のデジタル放送受信機２００の例では、例えばユーザがリモコン２１２を操作して、画面に表示される図４のようなユーザインターフェース画面の表示パターン（案内表示）を見ながら操作することによって、該当する参照機器ＭＡＣアドレスが登録（図示の例では22：22：22：22：22：22が追加）される。
【００４２】
図５は本発明の実施の形態としてのデジタル放送受信機に設けられているコンディショナルアクセスユニットで管理される参照機器ＭＡＣアドレスリストを表す図である。図５のＭＡＣアドレスリストは、図１のデジタル放送受信機２００（そのコンディショナルアクセス機能部）に保有されるものの例であるが、この形式は各機同様である。
【００４３】
「機器n」はデジタル放送受信機２００（自機）がネットワークを経由して参照を行う、コンディショナルアクセスシステム１０を構成する他機を識別するためのインデックスである。図示の状態では「機器n」「０」にＭＡＣアドレス22：22：22：22：22：22を持つ他機が登録されている。「機器n」「１」には「EOF」と標記されており、これは以降データが登録されていないことを示すものである。即ち、図５の状態では、デジタル放送受信機２００（自機）がネットワークを経由して参照を行うデジタル放送受信機はＭＡＣアドレス22：22：22：22：22：22を持つ他機１台のみである。
コンディショナルアクセスシステム１０に所属する各デジタル放送受信機（そのコンディショナルアクセス機能部）は、それぞれ上述のようなＭＡＣアドレスリストを保有している。
【００４４】
図６は、本発明の実施の形態としてのデジタル放送受信機に設けられているコンディショナルアクセスユニット（コンディショナルアクセス機能部）で管理される機器管理テーブル（以下、本明細書および図面において「機器テーブル」と略記）を表す図である。この機器テーブルは、自機あるいはネットワークで接続される他機（デジタル放送受信機）のステータスを管理するためのテーブルである。
【００４５】
図６の機器テーブルは、図１のデジタル放送受信機２００（そのコンディショナルアクセス機能部２３０）に保有されるものの例であるが、この形式は本例のコンディショナルアクセスシステムに所属する各機において同様である。
「機器ＩＤ」は「０」が自機を、「１」が自機と共にコンディショナルアクセスシステム１０を構成するものとして登録された１台の他機を表している。図示の状態では、機器ＩＤが０の自機において、ネットワークを経由して接続している他機を表す「接続機器ＭＡＣ」については、接続中の外部機器（他機）が存在しないので、データの登録はなく「ＮＵＬＬ」と表記されている。換言すれば、この「接続機器ＭＡＣ」が「ＮＵＬＬ」でなければ、何れかの外部接続機器（他機）に接続している意である。
【００４６】
「機器ＩＤ」の「１」は、自機に対して、この１台のデジタル放送受信機（そのコンディショナルアクセス機能部）が接続されていることを意味し、そのデジタル放送受信機のＭＡＣアドレス（接続機器ＭＡＣ）は22：22：22：22：22：22である。
「ＣＡＳ認証状況」は、該当機器（デジタル放送受信機）においてコンディショナルアクセスが視聴権限に基づいて正規に容認された状態にあるか否かを表すものであり、図６のように、当初は何れも「未認証」の状態である。
【００４７】
「現在のＥＣＭデータ」は、何れの番組ないし放送を視聴しているかを表すものであり、図６のように、当初は何れの番組ないし放送をも視聴していない状態である。
「排他フラグ」は、何れかのデジタル放送受信機で既に何れかの番組ないし放送を視聴しているために、他機において、同一の（コンディショナルアクセスカードに関する）視聴権限に基づいて、同時に、同じ番組ないし放送を視聴することはできない状態にある趣旨を表すフラグであり、図６の状態では、この状態に該当せず、この項目については「０」と表記されている。
【００４８】
図７は、視聴のための操作が行われた何れかのデジタル放送受信機において、他機が優先して排他的に当該放送ないし番組を視聴している旨を表示する場合の表示例を表す図である。本発明のコンディショナルアクセスシステム１０では、複数のデジタル放送受信機（２００，３００）間で同一のコンディショナルアクセスカード（１１０または１２０）に関して視聴契約が締結されている同一の放送ないし番組について同時に当該放送ないし番組の視聴を行うための操作が行われたときには、当該視聴のための操作が先行したデジタル放送受信機（２００または３００）に対して視聴を許容し、当該視聴のための操作が後続して行われたデジタル放送受信機（３００または２００）では、視聴は許容されず、例えば図７にあるような「この番組は他の機器で視聴中です」といったようなメッセージの表示を行う。詳細については、後に、フローチャートを参照しつつ後述する。
【００４９】
図８は、視聴のための操作が行われた何れかのデジタル放送受信機（２００，３００）において、視聴契約が締結されていない放送ないし番組の視聴を行おうとしている旨を表示する場合の表示例を表す図である。本発明のコンディショナルアクセスシステム１０では、何れのコンディショナルアクセスカード（１１０，１２０）に関しても視聴契約が締結されていない放送ないし番組の視聴を行うための操作が行われたときには、当該デジタル放送受信機（２００，３００）に対して、視聴に関する視聴契約は未締結である旨の例えば図８にあるような「この番組の視聴には契約が必要です」といったようなメッセージの表示を行う。詳細については、後に、フローチャートを参照しつつ後述する。
【００５０】
図９は、図１のコンディショナルアクセスシステム１０における第１または第２のデジタル放送受信機（２００，３００）の動作を表すフローチャートである。この動作は、図２を参照して説明した第１システムコントローラ２２０によるデジタル放送受信機の動作に関する統括的な管理機能によって実現される。
視聴者が、デジタル放送受信機２００の電源を入れて視聴を開始すると（ステップＳ９０１）、先ず、図４のユーザインターフェース画面を利用してユーザが入力操作することによって作成され登録された図５を参照して説明した項目のデータ含む参照機器ＭＡＣアドレスリストが第１システムコントローラ２２０側からコンディショナルアクセス機能部２３０側の第２システムコントローラ２４０に送信される（ステップＳ９０２）。
【００５１】
次いで、アンテナ２０１及びデジタルチューナ２０２による放送波からのパケットの受信が行われる（ステップＳ９０３）。更に、受信されたパケットはＥＣＭメッセージを含むものであるか否かが識別され（ステップＳ９０４）、ＥＣＭメッセージを含むものであると識別されたときには（ステップＳ９０４：Ｙｅｓ）、コンディショナルアクセス機能部２３０（本例ではコンディショナルアクセスユニットとして構成されているため、図中「ＣＡユニット」と表記）へそのＥＣＭメッセージを送信する（ステップＳ９０５）。
【００５２】
ステップＳ９０５でのＥＣＭメッセージの送信に応答してコンディショナルアクセス機能部２３０から送られてくる応答メッセージを受信し（ステップＳ９０６）、次いで、その応答メッセージには放送信号にかけられているスクランブルを解除するための暗号鍵（即ち、スクランブル解除鍵）が含まれているか否かを識別する（ステップＳ９０７）。このステップＳ９０７で、スクランブル解除鍵が含まれていると識別されたときには（ステップＳ９０７：Ｙｅｓ）、そのスクランブル解除鍵をスクランブル解除部２０４（図２）に転送する（ステップＳ９０８）。
【００５３】
尚、上述において、コンディショナルアクセス機能部２３０からのスクランブル解除鍵の発行は、より詳細には、図３のコンディショナルアクセス機能部２３０におけるコンディショナルアクセスカードインターフェース部２３１に接続されたコンディショナルアクセスカードで生成され、送出されるものである。しかしながら、以下の動作説明においては、表現が繁雑に過ぎることを回避するため、適宜、単に「コンディショナルアクセス機能部から」等、簡略に表現する。
【００５４】
スクランブル解除部２０４においてこのスクランブル解除鍵を用いてスクランブルの解除処理が行えたか否かを識別する（ステップＳ９０９）。スクランブル解除部２０４においてスクランブル解除鍵によってスクランブル解除処理が行えたときには（ステップＳ９０９：Ｙｅｓ）、コンディショナルアクセス機能部２３０に「視聴可」の旨のメッセージを送信し（ステップＳ９１０）、スクランブルが解除された信号によって放送の表示を行うための動作を実行する（ステップＳ９１１）。この後、ステップＳ９０３に戻る。
【００５５】
一方、ステップＳ９０９で、このスクランブル解除鍵によってはスクランブル解除処理が行えなかったときには（ステップＳ９０９：Ｎｏ）、コンディショナルアクセス機能部２３０に「視聴不可」の旨のメッセージを送信して（ステップＳ９１２）ステップＳ９０６に戻る。
他方、既述のステップＳ９０４で、受信されたパケットはＥＣＭメッセージを含んでいないと識別されたときには（ステップＳ９０４：Ｎｏ）、次いで、受信されたパケットはＥＭＭメッセージを含むものであるか否かが識別される（ステップＳ９１３）。ステップＳ９１３で、受信されたパケットはＥＭＭメッセージを含むものであると識別されたときには（ステップＳ９１３：Ｙｅｓ）、コンディショナルアクセス機能部２３０にそのＥＭＭメッセージを送信し（ステップＳ９１４）、ステップＳ９０３に戻る。
【００５６】
また、ステップＳ９１３で、受信されたパケットはＥＭＭメッセージを含むものではないと識別されたときには（ステップＳ９１３：Ｎｏ）、そのままステップＳ９０３に戻る。
また、既述のステップＳ９０７で、コンディショナルアクセス機能部から送られてきた応答メッセージにはスクランブル解除鍵が含まれていないと識別されたときには（ステップＳ９０７：Ｎｏ）、その応答メッセージにはコンディショナルアクセス機能部２３０からの新たなコンディショナルアクセスのＩＤ（ＣＡＳ＿ＩＤ）が含まれているか否かを識別する（ステップＳ９１５）。
【００５７】
ステップＳ９１５で、コンディショナルアクセス機能部からの応答メッセージには新たなＣＡＳ＿ＩＤが含まれていると識別されたときには（ステップＳ９１５：Ｙｅｓ）、コンディショナルアクセスのＩＤを応答メッセージによる新たなＣＡＳ＿ＩＤに更新して（ステップＳ９１６）、ステップＳ９０３に戻る。
一方、ステップＳ９１５で、コンディショナルアクセス機能部２３０からの応答メッセージには新たなＣＡＳ＿ＩＤが含まれていないと識別されたときには（ステップＳ９１５：Ｎｏ）、その応答メッセージには排他メッセージが含まれているか否かを識別し（ステップＳ９１７）、排他メッセージが含まれているときには（ステップＳ９１７：Ｙｅｓ）、既述の図７にその一例が示されたような「排他メッセージ」を表示するための処理を実行して（ステップＳ９１８）動作を終了する。
【００５８】
他方、ステップＳ９１７で、コンディショナルアクセス機能部２３０からの応答メッセージには排他メッセージが含まれていないときには（ステップＳ９１７：Ｎｏ）、次いで、その応答メッセージには未契約メッセージが含まれているか否かを識別し（ステップＳ９１９）、未契約メッセージが含まれているときには（ステップＳ９１９：Ｙｅｓ）、既述の図８にその一例が示されたような「未契約メッセージ」を表示するための処理を実行して（ステップＳ９２０）動作を終了する。尚、未契約メッセージが含まれていないときには（ステップＳ９１９：Ｎｏ）、そのまま既述のステップＳ９０６に戻る。
【００５９】
図１０ないし図１６は、コンディショナルアクセス機能部２３０の動作に関するフローチャートである。また、図１７は、コンディショナルアクセス機能部２３０で管理される機器テーブルの遷移を表す概念図である。
図１０のフローチャートにおいて、コンディショナルアクセス機能部２３０の第２システムコントローラ２４０は、動作を開始後、先ず、デジタル放送受信機２００（その第１システムコントローラ２２０であるが、以下のフローチャートにおいては、単に「ＣＰＵ」と表記されている）から参照機器ＭＡＣアドレスリストを受信する（ステップＳ１００１）。
【００６０】
この参照機器ＭＡＣアドレスリストの受信は、図９のフローチャートにおけるステップＳ９０２に対応するものであり、このステップＳ１００１の処理によって、コンディショナルアクセス機能部２３０側（従って、第２システムコントローラ２４０）は、本コンディショナルアクセスシステム１０において、自己の相手方となる一切の機器（そのＭＡＣアドレス）を認識し得た状態になり、以降、この認識に基づいて、種々所要の通信を行い得る状態が確立したことになる。
【００６１】
この状態で、メッセージを受信すると（ステップＳ１００２）、この受信によるメッセージが第１システムコントローラ２２０からのものであるか否かを識別する（ステップＳ１００３）。
ステップＳ１００３で、ステップＳ１００２の受信によるメッセージが第１システムコントローラ２２０からのものであると識別されたときには（ステップＳ１００３：Ｙｅｓ）、次いで、当該受信されたメッセージがＥＣＭメッセージを含むものであるか否かを識別する（ステップＳ１００４）。
【００６２】
一方、ステップＳ１００３で、ステップＳ１００２の受信によるメッセージが第１システムコントローラ２２０からのものではないと識別されたときには（ステップＳ１００３：Ｎｏ）、“Ｆ”の外部ページ参照記号で繋がりが示された、後述する、図１４のフローチャートに移行する。
このステップＳ１００４の段階では、図６を参照してそのデータ構造を説明した機器テーブルは、その各項目のデータが初期状態にある…図１７（ａ）。
【００６３】
ステップＳ１００２の受信によるメッセージがＥＣＭメッセージを含むものであると識別されたときには（ステップＳ１００４：Ｙｅｓ）、機器テーブルの自機データ（「機器ID」が「０」）における「現在のＥＣＭデータ」（当初はデータが保持されていない）を、受信されたＥＣＭメッセージに対応するものに更新する（ステップＳ１００５）…図１７（ｂ）。
【００６４】
次いで、さらに機器テーブルの自機データを参照し、自機（即ち、目下の仮定においては、第１のデジタル放送受信機２００）がいずれかのコンディショナルアクセスカードにおいて認証されているか否かという「ＣＡＳ認証状況」の識別処理を行う（ステップＳ１００６）。この処理は、即ち、自機が何れかのコンディショナルアクセスカードに接続し視聴状態で適用されているか否かを識別するものである。
【００６５】
ステップＳ１００６での識別処理の結果として、何れかのコンディショナルアクセスカードにおいて認証済である旨か否かを弁別し（ステップＳ１００７）、認証済であると識別されたときには（ステップＳ１００７：Ｙｅｓ）、機器テーブルの、自機に関するデータを参照し（ステップＳ１００８）、自機接続先の識別処理を行う（ステップＳ１００９）。
【００６６】
茲に、ステップＳ１００９における自機接続先の識別処理、即ち、ＭＡＣアドレス欄のデータがＮＵＬＬになっているか否かの識別処理は、自機コンディショナルアクセスユニットが自機コンディショナルアクセスカードに接続されている（ＮＵＬＬ）のか、或いは、ネットワークを経由して他機のコンディショナルアクセスユニットに挿入されているコンディショナルアクセスカードに接続されている（いずれかのＭＡＣデータ）のかといった識別を実行する意である。
【００６７】
ステップＳ１００９の識別結果が「ＮＵＬＬ」である場合（ステップＳ１００９：Ｙｅｓ）には、第１のコンディショナルアクセスカード１１０へ、ステップＳ１００２で受信されたＥＣＭメッセージ（即ち、データ）を送信する（ステップＳ１０１０）。
また、ステップＳ１００９で、自機が他機に挿入されるコンディショナルアクセスカードに接続されている（いずれかのＭＡＣデータ）と識別されたときには（ステップＳ１００９：Ｎｏ）、当該接続機器にＥＣＭメッセージを転送する（ステップＳ１０１３）。
【００６８】
ステップＳ１０１０での送信に応答して第１のコンディショナルアクセスカード１１０から転送されてくるスクランブル解除鍵を受信し（ステップＳ１０１１）、次いで、受信したスクランブル解除鍵を第１システムコントローラ２２０へ送信する（ステップＳ１０１２）。この後、ステップＳ１００２に戻る。
デジタル放送受信機２００では、このコンディショナルアクセスカード１１０から供給されるスクランブル解除鍵によって、受信した放送データにかけられているスクランブルを解除する処理を実行し、放送の視聴を可能にすることができる。
【００６９】
以上の動作において、一般に、ＥＣＭは略２秒程度の間隔で機器側（デジタル放送受信機）において受信されて、逐次、コンディショナルアクセス機能部へと伝送されてくる。このため、当該機器側に対応して何れかのコンディショナルアクセスカードが一旦認証済（使用中）になって以降は、視聴が継続している限り、ステップＳ１００２からステップＳ１０１２あるいはＳ１０１３までの処理が間歇的に繰り返される。
【００７０】
一方、ステップＳ１００７で、自機が何れのコンディショナルアクセスカードにおいても未認証である旨識別されたときには（ステップＳ１００７：Ｎｏ）“Ｄ”の外部ページ参照記号で繋がりが示された、後述する、図１３のフローチャートに移行する。
また一方、ステップＳ１００２で受信されたメッセージがＥＣＭメッセージを含んでいないと識別されたときには（ステップＳ１００４：Ｎｏ）、受信されたメッセージはＥＭＭメッセージを含むものであるか否かを識別する（ステップＳ１０１４）。
【００７１】
ステップＳ１０１４で、受信されたメッセージはＥＭＭメッセージを含むものであると識別されたときには（ステップＳ１０１４：Ｙｅｓ）、機器テーブルの自機データを参照し、自機（即ち、目下の仮定においては、第１のデジタル放送受信機２００）がいずれかのコンディショナルアクセスカードにおいて認証されているか否かという「ＣＡＳ認証状況」の識別処理を行う（ステップＳ１０１６）。この処理は、即ち、自機が何れかのコンディショナルアクセスカードに接続し、視聴状態で適用されているか否かを識別するものである。
【００７２】
ステップＳ１０１６で、認証済であると識別されたときには（ステップＳ１０１６：Ｙｅｓ）、機器テーブルの自機データを参照し、自機接続先の識別処理を行う（ステップＳ１０１８）。
茲に、ステップＳ１０１８における自機接続先の識別処理、即ち、ＭＡＣアドレス欄のデータはＮＵＬＬになっているか否かの識別処理は、ステップＳ１００９について既述のとおり、自機コンディショナルアクセスユニットが自機コンディショナルアクセスカードに接続されている（ＮＵＬＬ）のか、或いは、ネットワークを経由して他機のコンディショナルアクセスユニットに挿入されているコンディショナルアクセスカードに接続されている（いずれかのＭＡＣデータ）のかといった識別を実行する意である。
【００７３】
他方、ステップＳ１０１６で、未認証であると識別されたときには（ステップＳ１０１６：Ｎｏ）、そのままステップＳ１００２に戻る。
ステップＳ１０１８で、識別結果は「ＮＵＬＬ」であるときには（ステップＳ１０１８：Ｙｅｓ）、第１のコンディショナルアクセスカード１１０へ、ステップＳ１００２で受信されたＥＭＭメッセージ（即ち、ＥＭＭデータ）を送信する（ステップＳ１０１９）。
【００７４】
一方、ステップＳ１０１８で、識別結果が「ＮＵＬＬ」でないときには（ステップＳ１０１８：Ｎｏ）、該当する接続機器へ、ステップＳ１００２で受信されたＥＭＭメッセージ（即ち、ＥＭＭデータ）を転送する（ステップＳ１０２０）。
以上の動作において、一般に、ＥＭＭは適時、機器側（デジタル放送受信機）において受信され第１システムコントローラから、逐次（順次）、コンディショナルアクセス機能部（第２システムコントローラ）へと伝送されてくる。このため、当該機器側に対応して何れかのコンディショナルアクセスカードが一旦認証済（使用中）になって以降は、視聴が継続している限り、ステップＳ１０１４からステップＳ１０１９あるいはＳ１０２０までの処理が間歇的に繰り返される。
【００７５】
また、既述のステップＳ１０１４で、受信されたメッセージはＥＭＭメッセージを含むものではないと識別されたときには（ステップＳ１０１４：Ｎｏ）、ステップＳ１００２での受信メッセージは「視聴可」のメッセージであるか否かを識別する（ステップＳ１０２１）。
ステップＳ１０２１で、受信されたメッセージは「視聴可」のメッセージであると識別されたときには（ステップＳ１０２１：Ｙｅｓ）、機器テーブルの自機に関する状況を参照して（ステップＳ１０２２）、コンディショナルアクセスに関する現状での認証状況の識別処理を行う（ステップＳ１０２３）。
【００７６】
ステップＳ１０２３での識別処理の結果、認証済であると識別されたときには（ステップＳ１０２３：Ｙｅｓ）、ステップＳ１００２に戻る。
一方、ステップＳ１０２３で、認証済ではないと識別されたときには（ステップＳ１０２３：Ｎｏ）、“Ｂ”の外部ページ参照記号で繋がりが示された図１１のフローチャートに移行する。
また、既述のステップＳ１０２１で、受信されたメッセージは「視聴可」のメッセージではないと識別されたときには（ステップＳ１０２１：Ｎｏ）、“Ｃ”の外部ページ参照記号で繋がりが示された図１２のフローチャートに移行する。
【００７７】
以上の処理フローにおいて、第１のデジタル放送受信機２００の第１システムコントローラ２２０は、ＥＣＭを受信して、コンディショナルアクセス機能部２３０からスクランブル解除鍵を受信し、それによって番組の視聴が可能であるという判断処理を経て、初めて、「視聴可」のメッセージをコンディショナルアクセス機能部２３０へ送信する。即ち、第１のデジタル放送受信機２００の第１システムコントローラ２２０は、ＥＣＭを受信する度に「視聴可」のメッセージを繰り返しコンディショナルアクセス機能部２３０に送信する。尚、視聴不可の場合は「視聴不可」のメッセージを送信する。
【００７８】
コンディショナルアクセス機能部２３０は、当初の「視聴可」のメッセージによってコンディショナルアクセス認証状況を「認証済」に変更するが（図１１を参照して後述する）、これ以降は、「視聴可」メッセージに関する処理を要しなくなるため、ステップＳ１０２３の処理が設けてある。
【００７９】
次に、図１１の、外部ページ参照記号“Ｂ”以降の処理について説明する。図１０のフローチャートにおけるステップＳ１００２での受信メッセージがＥＣＭメッセージを含むものではないと識別され（ステップＳ１００４：Ｎｏ）、更に、ステップＳ１０１４で、受信メッセージはＥＭＭメッセージを含むものではないと識別され（ステップＳ１０１４：Ｎｏ）、更にまた、ステップＳ１０２１で、受信メッセージは「視聴可」のメッセージであると識別され（ステップＳ１０２１：Ｙｅｓ）、次いで、機器テーブルの自機データに関する状況を参照して、コンディショナルアクセスに関する現状での認証状況の識別処理を行い（ステップＳ１０２２）その結果、機器テーブルの自機データ上では認証済になっているか否かを弁別し（ステップＳ１０２３）、認証済ではないと識別されたときに（ステップＳ１０２３：Ｎｏ）、“Ｂ”の外部ページ参照記号で繋がりが示されたこの図１１のフローチャートに移行する。
【００８０】
図１１の段階では、機器テーブルの自機に関するデータを参照し（ステップＳ１１０１）、自機が接続中の他機があるか否か（そのような他機のＭＡＣアドレス欄のデータはＮＵＬＬになっているか否か）の識別処理を行う（ステップＳ１１０２）。
ステップＳ１１０２で、その識別処理の結果が「ＮＵＬＬ」であるときには（ステップＳ１１０２：Ｙｅｓ）、機器テーブルの自機のデータ上では、それまで未認証であると識別されていた「ＣＡＳ認証状況」を「認証済」に更新する（ステップＳ１１０３）…図１７（ｃ）。
【００８１】
次いで、第１システムコントローラ２２０に、この場合に該当する第１のコンディショナルアクセスカード１１０を表すＣＡＳ＿ＩＤを送信する（ステップＳ１１０４）。この後、図１０のステップＳ１００２に戻る。
一方、ステップＳ１１０２で、その識別処理の結果が「ＮＵＬＬ」でないときには（ステップＳ１１０２：Ｎｏ）、機器テーブルの自機のデータ上では、それまで未認証であると識別されていた「ＣＡＳ認証状況」を「認証済」に更新する（ステップＳ１１０５）…図１７（ｃ）。
【００８２】
次いで、該当する接続先の機器（本例では第２のデジタル放送受信機３００）へ「視聴可」のメッセージを転送する（ステップＳ１１０６）。この後、図１０のステップＳ１００２に戻る。
上述のステップＳ１１０２→ステップＳ１１０３、および、ステップＳ１１０２→ステップＳ１１０５の分岐について更に詳述する。
ステップＳ１１０２の「ＮＵＬＬ」であるか否かの識別は、自機が何れのコンディショナルアクセスカードへ接続しているかの判断である。
【００８３】
「ＮＵＬＬ」であるということは、自機は自機のコンディショナルアクセスユニットに挿入されているコンディショナルアクセスカードへ接続されていると判断される。
他方、「ＮＵＬＬ」ではない（即ち、ＭＡＣアドレスが入っている）ということは、ネットワーク越しに他機のコンディショナルアクセスユニットに挿入されているコンディショナルアクセスカードへ接続されていると判断される。
このため、ステップＳ１１０２の識別がＹｅｓの場合には、自機テーブルを認証済みへ更新し（ステップＳ１１０３）、自機の第１システムコントローラ２２０へＣＡＳ＿ＩＤを送信する（ステップＳ１１０４）。
【００８４】
他方、ステップＳ１１０２の識別がＮｏの場合には、自機テーブルを認証済みへ更新し（ステップＳ１１０５）、ＭＡＣアドレスで指定されネットワーク越しに接続される他機（フローチャートにおける「接続先機器」）へ「視聴可」メッセージを転送する（ステップＳ１１０６）。
【００８５】
次に、図１２の、外部ページ参照記号“Ｃ”以降の処理について説明する。図１０のフローチャートにおけるステップＳ１００２での受信メッセージがＥＣＭメッセージを含むものではないと識別され（ステップＳ１００４：Ｎｏ）、更に、ステップＳ１０１４で、受信されたメッセージはＥＭＭメッセージを含むものではないと識別され（ステップＳ１０１４：Ｎｏ）、更にまた、ステップＳ１０２１で、受信メッセージは「視聴可」のメッセージではないと識別されたときに（ステップＳ１０２１：Ｎｏ）、“Ｃ”の外部ページ参照記号で繋がりが示されたこの図１２のフローチャートに移行する。
【００８６】
受信されたメッセージは「視聴可」のメッセージではないと識別されてから（ステップＳ１０２１：Ｎｏ）、受信されたメッセージは「視聴不可」のメッセージであるか否かが識別され（ステップＳ１２０１）、「視聴不可」のメッセージであると識別されたときには（ステップＳ１２０１：Ｙｅｓ）、機器テーブルの自機に関する状況を参照して（ステップＳ１２０２）、コンディショナルアクセスに関する現状での認証状況の識別処理を行う。
【００８７】
ステップＳ１２０２での識別処理の結果として、自機が何れかのコンディショナルアクセスカードにおいて認証済である旨か否かを識別し（ステップＳ１２０３）、認証済であると識別されたときには（ステップＳ１２０３：Ｙｅｓ）、機器テーブルの自機に関するデータを参照し（ステップＳ１２０４）、自機が接続中の他機があるか否か（そのような他機のＭＡＣアドレス欄のデータはＮＵＬＬになっているか否か）の識別処理を行う（ステップＳ１２０５）。
ステップＳ１２０５で、その識別処理の結果が「ＮＵＬＬ」であるときには（ステップＳ１２０５：Ｙｅｓ）、機器テーブルの自機のデータを更新、即ち、初期化する（ステップＳ１２０６）。この後、図１０のステップＳ１００２に戻る。
【００８８】
一方、ステップＳ１２０５で、その識別処理の結果が「ＮＵＬＬ」でないときには（ステップＳ１２０５：Ｎｏ）、機器テーブルの自機データを更新、即ち、初期化して（ステップＳ１２０７）、該当する接続機器（本例では第２のデジタル放送受信機３００）に、「視聴不可」のメッセージを送信し（ステップＳ１２０８）、この後、図１０のステップＳ１００２に戻る。
一方、ステップＳ１２０３で、コンディショナルアクセスカードが認証済である旨か否かを識別し、未認証であると識別されたときには（ステップＳ１２０３：Ｎｏ）、“Ｅ”の外部ページ参照記号で繋がりが示されたこの図１３のフローチャートに移行する。
【００８９】
次に、図１３の、外部ページ参照記号“Ｄ”および“Ｅ”以降の処理について説明する。図１０のフローチャートを参照して既述のとおり、コンディショナルアクセス機能部２３０に接続された機器（例えば第１のデジタル放送受信機２００の第１システムコントローラ２２０）によって視聴を行おうとする当初の段階では、何れのコンディショナルアクセスカードも認証されていない。
【００９０】
この当初の段階においては、自機が何れかのコンディショナルアクセスカードにおいて認証済である旨か否かの弁別ステップＳ１００７での弁別の結果は必然的に「否」である（ステップＳ１００７：Ｎｏ）。従って、 “Ｄ”の外部ページ参照記号で繋がりが示されたとおり、この図１３のフローチャートに従うことになる。
機器テーブルの機器２（第２デジタル放送受信機３００）のデータを参照し（ステップＳ１３０１）、機器２に対応する他の機器の接続状況を、当該相手方のデジタル放送受信機（そのコンディショナルアクセス機能部）に対して割り当てられたＭＡＣアドレスに依拠して識別する（ステップＳ１３０２）。
【００９１】
他機の接続があると識別されたときには（ステップＳ１３０２：Ｙｅｓ）、更に、機器テーブルの該当機器に関するデータを参照する（ステップＳ１３０３）。このステップＳ１３０３での参照によって該当機器が認証済のものであるか否かを識別し（ステップＳ１３０４）、認証済であると識別されたときには（ステップＳ１３０４：Ｙｅｓ）、更に、機器テーブルを参照して、認証済の該当機器間で、それらにおけるＥＣＭを比較する（ステップＳ１３０５）。
【００９２】
この比較の結果、両者が同じＥＣＭであるか否かを識別し（ステップＳ１３０６）、それらのＥＣＭは異なると識別されたときには（ステップＳ１３０６：Ｎｏ）、コンディショナルアクセスカードへ該当するＥＣＭ（ＥＣＭデータ）を送信する（ステップＳ１３０７）。尚、上述のステップＳ１３０２で他機の接続はないと識別されたときには（ステップＳ１３０２：Ｎｏ）、および、ステップＳ１３０４で、該当機器が認証済ではないと識別されたときには（ステップＳ１３０４：Ｎｏ）、直ちに、このステップＳ１３０７に移行する。
【００９３】
ステップＳ１３０７で送信したＥＣＭデータに応答して該当するコンディショナルアクセスカードから送信されてくるスクランブル解除鍵を受信し（ステップＳ１３０８）、受信したスクランブル解除鍵を第１システムコントローラ２２０に送信する（ステップＳ１３０９）。
上述のステップＳ１３０６でＥＣＭが異なるということは（ステップＳ１３０６：Ｎｏ）、機器２に該当する機器（第２のデジタル放送受信機３００）が既に第１のコンディショナルアクセスカード１１０に接続中で認証済（使用中）であり、機器１に該当する機器（第１のデジタル放送受信機２００）が同一の第１のコンディショナルアクセスカード１１０で視聴を開始しようとしている状況ではあるが、ＥＣＭが異なるので第１のデジタル放送受信機２００は第２のデジタル放送受信機３００と違う番組を視聴しようとしているということを意味している。このような場合には、同一の第１のコンディショナルアクセスカード１１０へＥＣＭを送信することが許容される。
【００９４】
第１のデジタル放送受信機２００（その第１システムコントローラ２２０）側では、この第１のコンディショナルアクセスカード１１０から供給されるスクランブル解除鍵によって、受信した放送データにかけられているスクランブルを解除する処理を実行し、放送の視聴を可能にすることができる。
他方、ステップＳ１３０６で、機器テーブルのデータ上、機器１に関するＥＣＭと機器２に関するＥＣＭとの双方のＥＣＭが同一であると弁別されたときには（ステップＳ１３０６：Ｙｅｓ）、機器テーブルの機器１に関するデータとして、排他フラグを１に設定し（ステップＳ１３１５）、ステップＳ１３２１に移行する。
【００９５】
このステップＳ１３０６で双方のＥＣＭが同一であるということは、即ち、機器１たる第１のデジタル放送受信機２００は第１のコンディショナルアクセスカード１１０を使用して視聴を開始しようとしたが機器２たる第２のデジタル放送受信機３００が同一の第１のコンディショナルアクセスカード１１０に接続し且つ同一の番組（同一のＥＣＭ）を視聴しているということである。
【００９６】
従って、第２のデジタル放送受信機３００としては第１のコンディショナルアクセスカード１１０については一時的に排他状態を保持する必要があり、第１のデジタル放送受信機２００は、その後コンディショナルアクセスカード１２０での視聴を試みることになる。
図１２のフローチャートを参照して説明したとおり、図１０のフローチャートにおけるステップＳ１００２での受信メッセージが「視聴不可」のメッセージであり（ステップＳ１２０１：Ｙｅｓ）、当該コンディショナルアクセスカードが、未認証であると識別されたときには（ステップＳ１２０３：Ｎｏ）、“Ｅ”の外部ページ参照記号で繋がりが示された図１３のフローチャート（ステップＳ１３２１）に移行する。
【００９７】
ステップＳ１３２１では、自機に対応する他機（参照機器）を順次カウントする参照機器カウンタの値を初期値である０にリセットする。次いで、参照機器リストの機器番号ｎのデータを参照して、その機器についてＭＡＣアドレスが附されているかを見る（ステップＳ１３２２）。
ステップＳ１３２２で参照機器リストを見て、機器番号ｎの機器についてＭＡＣアドレス欄のデータは「ＥＯＦ」なっているか否かの識別を行い（ステップＳ１３２３）、その結果「ＥＯＦ」であるとき、即ち、参照機器がこれ以上存在しないときには（ステップＳ１３２３：Ｙｅｓ）、排他フラグが立っている（即ち、排他フラグ＝１）か否かを識別する（ステップＳ１３２４）。
【００９８】
ステップＳ１３２４で排他フラグが立っているときには（ステップＳ１３２４：Ｙｅｓ）、機器テーブルの機器１（自機）のデータを更新、即ち、初期化して（ステップＳ１３２５）、第１のデジタル放送受信機２００の第１システムコントローラ２２０に排他メッセージを送信する（ステップＳ１３２６）。その後、図１０のステップＳ１００２に戻る。
【００９９】
一方、ステップＳ１３２４で排他フラグが立っていないときには（ステップＳ１３２４：Ｎｏ）、機器テーブルの機器１（自機）のデータを更新、即ち、初期化して（ステップＳ１３２７）、第１のデジタル放送受信機２００の第１システムコントローラ２２０に未契約メッセージを送信する（ステップＳ１３２８）。その後、図１０のステップＳ１００２に戻る。
【０１００】
他方、ステップＳ１３２３の識別で、機器番号ｎの機器についてＭＡＣアドレス欄のデータは「ＮＵＬＬ」でないと識別されたときには（ステップＳ１３２３：Ｎｏ）、参照カウンタにおける機器番号ｎを１番繰り上げ（ステップＳ１３２９）、更に機器テーブルの自機接続先機器のＭＡＣアドレスデータを更新する（ステップＳ１３３０）。次いで、該当する接続機器（第２のデジタル放送受信機３００）にＥＣＭメッセージを送信する（ステップＳ１３３１）。ステップＳ１３２９を１回通る毎に、機器番号ｎは１番ずつ繰り上げられ、該当する全ての機器について同様の処理が実行されることになる。
【０１０１】
次に、図１４の、外部ページ参照記号“Ｆ”以降の処理について説明する。図１０のステップＳ１００２での受信メッセージが第１のデジタル放送受信機２００の第１システムコントローラ２２０からのものではないと識別されたときには（ステップＳ１００３：Ｎｏ）外部ページ参照記号“Ｆ”のとおり、この図１４のフローチャートに従う。
ステップＳ１００２での受信メッセージが排他メッセージであるときには（ステップＳ１４０１：Ｙｅｓ）、  機器テーブルの自機データを排他フラグが立った状態（即ち、排他フラグ＝１）に更新する（ステップＳ１４０２）。
【０１０２】
ステップＳ１４０２の処理の後、外部ページ参照記号“Ｇ”で示されたように、既述の図１３におけるステップＳ１３２２に移行する。
ステップＳ１４０１で、ステップＳ１００２での受信メッセージは排他メッセージでないと識別されたときには（ステップＳ１４０１：Ｎｏ）、ステップＳ１００２での受信メッセージはＣＡＳ＿ＩＤメッセージであるか否かを識別する（ステップＳ１４０３）。
【０１０３】
ステップＳ１４０３で、ＣＡＳ＿ＩＤメッセージであると識別されたときには（ステップＳ１４０３：Ｙｅｓ）、第１のデジタル放送受信機２００の第１システムコントローラ２２０にそのＣＡＳ＿ＩＤメッセージを送信し（ステップＳ１４０４）、その後、図１０のステップＳ１００２に戻る。
一方、ステップＳ１４０３で、ＣＡＳ＿ＩＤメッセージではないと識別されたときには（ステップＳ１４０３：Ｎｏ）、ステップＳ１００２での受信メッセージはスクランブル解除鍵であるか否かを識別する（ステップＳ１４０５）。
【０１０４】
ステップＳ１４０５で、スクランブル解除鍵であると識別されたときには（ステップＳ１４０５：Ｙｅｓ）、そのスクランブル解除鍵を第１のデジタル放送受信機２００の第１システムコントローラ２２０に送信する（ステップＳ１４０６）。その後、図１０のステップＳ１００２に戻る。
一方、ステップＳ１４０５で、スクランブル解除鍵ではないと識別されたときには（ステップＳ１４０５：Ｎｏ）、当該メッセージの送信元のＭＡＣアドレスを抽出して（ステップＳ１４０７）、機器テーブルから該当するＭＡＣアドレスを参照する（ステップＳ１４０８）。
【０１０５】
ステップＳ１４０８での参照の結果に該当する機器の登録の有無を識別し（ステップＳ１４０９）、登録があれば（ステップＳ１４０９：Ｙｅｓ）、次いで、その機器からのメッセージはＥＣＭメッセージであるか否かを識別する（ステップＳ１４１０）。
ステップＳ１４１０でＥＣＭメッセージであると識別されたときには（ステップＳ１４１０：Ｙｅｓ）、機器テーブルのＥＣＭに関するデータを更新する（ステップＳ１４１１）。この更新の後、この機器テーブルにおける認証状況のデータを参照する（ステップＳ１４１２）。
【０１０６】
ステップＳ１４１２での参照により、当該機器は認証済であるか否かを識別し（ステップＳ１４１３）、認証済であるときには（ステップＳ１４１３：Ｙｅｓ）、その機器のコンディショナルアクセスカードにＥＣＭデータを送信する（ステップＳ１４１４）。この送信に応答して、当該コンディショナルアクセスカードから送られてくるスクランブル解除鍵を受信し（ステップＳ１４１５）、受信したスクランブル解除鍵を当該送信元の機器に送信する（ステップＳ１４１６）。
【０１０７】
この後、図１０のステップＳ１００２に戻る。
一方、ステップＳ１４０９で参照の結果に該当する機器は未登録であると識別されたときには（ステップＳ１４０９：Ｎｏ）、その機器について新たに機器テーブルを追加して（ステップＳ１４１７）、既述のステップＳ１４１０に移行する。
他方、ステップＳ１４１０で、ＥＣＭメッセージではないと識別されたときには（ステップＳ１４１０：Ｎｏ）、“Ｈ”の外部ページ参照記号で繋がりが示された図１５のフローチャートに移行する。
また一方、当該機器は未認証であると識別されたときには（ステップＳ１４１３：Ｎｏ）、“Ｉ”の外部ページ参照記号で繋がりが示された図１６のフローチャートに移行する。
【０１０８】
次に、図１５の、外部ページ参照記号“Ｈ”以降の処理について説明する。図１４のステップＳ１４１０で、ＥＣＭメッセージではないと識別されたときには（ステップＳ１４１０：Ｎｏ）、この図１５のフローチャートに移行し、当該メッセージはＥＭＭメッセージであるか否かを識別する（ステップＳ１５０１）。
ステップＳ１５０１で、ＥＭＭメッセージであると識別されたときには、機器テーブルを参照し、その機器の認証状況を確認する（ステップＳ１５０２）。
【０１０９】
ステップＳ１５０２での確認の結果を見て認証済であるか否かを識別し（ステップＳ１５０３）、認証済であると識別されたときには（ステップＳ１５０３：Ｙｅｓ）、その機器に接続されているコンディショナルアクセスカードに当該ＥＭＭデータを送信して(ステップＳ１５０４)、その後、図１０のステップＳ１００２に戻る。
一方、ステップＳ１５０１で、ＥＭＭメッセージではないと識別されたときには（ステップＳ１５０１：Ｎｏ）、視聴可のメッセージであるか否かを識別する（ステップＳ１５０５）。視聴可のメッセージであると識別されたときには（ステップＳ１５０５：Ｙｅｓ）、機器テーブルを参照し、その機器の認証状況を確認する（ステップＳ１５０６）。
【０１１０】
ステップＳ１５０６での確認の結果を見て認証済であるか否かを識別し（ステップＳ１５０７）、認証済であると識別されたときには（ステップＳ１５０７：Ｙｅｓ）、図１０のステップＳ１００２に戻る。
一方、未認証であると識別されたときには（ステップＳ１５０７：Ｎｏ）、機器テーブルの当該送信元のデータを認証済に更新し（ステップＳ１５０８）、次いで、当該送信元の機器にＣＡＳ＿ＩＤメッセージを送信し（ステップＳ１５０９）、その後、図１０のステップＳ１００２に戻る。
【０１１１】
また、ステップＳ１５０５で、視聴可のメッセージではないと識別されたときには（ステップＳ１５０５：Ｎｏ）、視聴不可のメッセージであるか否かを識別する（ステップＳ１５１０）。
視聴不可のメッセージであると識別されたときには（ステップＳ１５１０：Ｙｅｓ）、機器テーブルを参照し、その機器の認証状況を確認する（ステップＳ１５１１）。
【０１１２】
ステップＳ１５１１での確認により当該機器は認証済であるか否かを識別し（ステップＳ１５１２）、認証済であると識別されたときには（ステップＳ１５１２：Ｙｅｓ）、機器テーブルの送信元機器のデータを更新、即ち、初期化して（ステップＳ１５１３）、その後、図１０のステップＳ１００２に戻る。
また、ステップＳ１５１２で、未認証であると識別されたときには（ステップＳ１５１２：Ｎｏ）、機器テーブルにおける当該送信元機器のテーブルデータを削除して、その後、図１０のステップＳ１００２に戻る。
尚、ステップＳ１５１０で、視聴不可のメッセージではないと識別されたときには（ステップＳ１５１０：Ｎｏ）、そのまま図１０のステップＳ１００２に戻る。
【０１１３】
次に、図１６の、外部ページ参照記号“Ｉ”以降の処理について説明する。図１４のステップＳ１４１３で、当該機器は未認証であると識別されたときには（ステップＳ１４１３：Ｎｏ）、外部ページ参照記号“Ｉ”のとおり、この図１６のフローチャートに従う。
機器テーブルを参照して、接続機器のＭＡＣアドレスを見る（ステップＳ１６０１）。
ステップＳ１６０１の参照結果によって、他に接続機器があるか否かを識別する（ステップＳ１６０２）。他に接続機器があるときには（ステップＳ１６０２：Ｙｅｓ）、機器テーブルを参照して、その接続機器の認証状況を見る（ステップＳ１６０３）。
【０１１４】
ステップＳ１６０３の参照結果によって、当該接続機器が認証済であるか否かを識別する（ステップＳ１６０４）。この結果、認証済であるときには（ステップＳ１６０４：Ｙｅｓ）、機器テーブルを参照して（ステップＳ１６０５）、自機および接続機器におけるＥＣＭデータが同一か否かを識別する（ステップＳ１６０６）。
ＥＣＭデータが異なっていると識別されたときには（ステップＳ１６０６：Ｎｏ）、その機器に接続されているコンディショナルアクセスカードにＥＣＭデータを送信する（ステップＳ１６０７）。次いで、この送信に応答してコンディショナルアクセスカードから送信されるスクランブル解除鍵を受信し（ステップＳ１６０８）、該受信したスクランブル解除鍵を当該送信元の機器送信する（ステップＳ１６０９）。この後、図１０のステップＳ１００２に戻る。
【０１１５】
尚、ステップＳ１６０２で他に接続機器がないと識別されたとき（ステップＳ１６０２：Ｎｏ）、および、ステップＳ１６０４で当該機器は未認証であると識別されたときには（ステップＳ１６０４：Ｎｏ）そのままステップＳ１６０７に移行する。
また、ステップＳ１６０６で、双方の機器のＥＣＭデータが同一であると識別されたときには（ステップＳ１６０６：Ｙｅｓ）、当該接続機器（送信元の機器）の機器テーブルデータを削除し(ステップＳ１６１０)、その送信元の機器に排他メッセージを送信し（ステップＳ１６１１）、その後、図１０のステップＳ１００２に戻る。
【０１１６】
以上、図面を参照して説明した本発明の実施の形態としてのコンディショナルアクセスシステム１０では、コンディショナルアクセス機能部２３０を有する複数のデジタル放送受信機２００，３００が伝送路４００で結ばれ、各デジタル放送受信機２００，３００におけるコンディショナルアクセス機能部２３０のコンディショナルアクセスカードインターフェース部２３１に接続されている複数のコンディショナルアクセスカード１１０，１２０の少なくとも何れかに関して締結されている一または複数の放送ないし番組の視聴契約に基づいて、コンディショナルアクセス機能部２３０の第２システムコントローラ２４０が、複数のデジタル放送受信機間で、同一のコンディショナルアクセスカード１１０（１２０）および同一の視聴期間中については排他的になるようにして視聴契約を遵守しつつ、各個のデジタル放送受信機２００，３００に共通に、当該視聴契約に基づく視聴権限による便益を享受することができるように調停する。
【０１１７】
これにより、コンディショナルアクセスカード１１０（１２０）の挿抜操作や移動といった煩雑な取り扱いを要することなく、当該一のコンディショナルアクセスカード１１０（１２０）に係る視聴契約による視聴権限に基づく便益を、同一の視聴期間中には排他的になるようにして視聴契約を遵守しつつ、一のコンディショナルアクセスシステム１０に属する複数のデジタル放送受信機間で、各個に共通に享受することができる。
【０１１８】
また、コンディショナルアクセス機能部２３０の伝送路インターフェース２３２は、伝送路としてのネットワーク４２０を通してデータの授受を行うネットワークインターフェース部２３２によって構成されているため、コンディショナルアクセスシステム１０に属する複数の各デジタル放送受信機２００，３００の各個の本体の配置に拘束されずにネットワーク４２０を通して支障なく所要のデータの授受を行うことができる。
【０１１９】
更に、コンディショナルアクセス機能部２３０の第２システムコントローラ２４０は、複数のデジタル放送受信機２００，３００間で同一のコンディショナルアクセスカードに１１０（１２０）関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを第１システムコントローラ２２０側に送信するように制御を実行する。
【０１２０】
これにより、同一のコンディショナルアクセスカード１１０（１２０）および同一の視聴期間中については排他的に当該放送ないし番組の視聴が許容され、従って、視聴契約が遵守された上で、各個のデジタル放送受信機２００，３００に共通に、当該視聴契約に基づく当該放送ないし番組の視聴が可能になるという便益が得られる。また、状況に応じて、デジタル放送受信機２００（３００）のユーザは、他機３００（２００）が優先して排他的に当該放送ないし番組を視聴しているが故に放送ないし番組の視聴ができない（スクランブル解除処理が実行され得ない）ことを的確に認識することができる。
【０１２１】
更にまた、デジタル放送受信機２００，３００におけるコンディショナルアクセス機能部２３０の第２システムコントローラ２４０は、デジタル放送受信機２００（３００）において、何れのコンディショナルアクセスカード１１０，１２０に関しても視聴契約が締結されていない放送ないし番組の視聴を行うための操作が行われたときには、当該デジタル放送受信機２００（３００）の第１システムコントローラ２２０に向けて、視聴に関する視聴契約は未締結である旨の未契約メッセージ（それによる画面表示を図８に例示）を送信するべく制御を実行する。
これにより、デジタル放送受信機２００（３００）のユーザは、視聴契約が未締結であるが故に放送ないし番組の視聴ができない（スクランブル解除処理が実行され得ない）ことを的確に認識することができる。
【０１２２】
また、本発明の実施の形態としてのデジタル放送受信機では、伝送路４００で結ばれた各デジタル放送受信機２００，３００におけるコンディショナルアクセス機能部２３０のコンディショナルアクセスカードインターフェース部２３１に接続されている複数のコンディショナルアクセスカード１１０，１２０の少なくとも何れかに関して締結されている一または複数の放送ないし番組の視聴契約に基づいて、コンディショナルアクセス機能部２３０の第２システムコントローラ２４０が、複数のデジタル放送受信機２００，３００間で、同一のコンディショナルアクセスカード１１０（１２０）および同一の視聴期間中については排他的になるようにして視聴契約を遵守しつつ、各個のデジタル放送受信機２００，３００に共通に、当該視聴契約に基づく視聴権限による便益を享受することができるように調停する。
【０１２３】
これにより、コンディショナルアクセスカード１１０（１２０）の挿抜操作や移動といった煩雑な取り扱いを要することなく、当該一のコンディショナルアクセスカード１１０（１２０）に係る視聴契約による視聴権限に基づく便益を、同一の視聴期間中には排他的になるようにして視聴契約を遵守しつつ、一のコンディショナルアクセスシステム１０に属する複数のデジタル放送受信機２００，３００間で、各個に共通に享受することができる。
【０１２４】
更に、コンディショナルアクセス機能部２３０の伝送路インターフェース２３２は、伝送路としてのネットワーク４２０を通してデータの授受を行うネットワークインターフェース部２３２によって構成されているため、コンディショナルアクセスシステム１０に属する複数の各デジタル放送受信機２００，３００の各個の本体の配置に拘束されずにネットワーク４２０を通して支障なく所要のデータの授受を行うことができる。
【０１２５】
更にまた、コンディショナルアクセス機能部２３０の第２システムコントローラ２４０は、複数のデジタル放送受信機２００，３００間で同一のコンディショナルアクセスカードに１１０（１２０）関して視聴契約が締結されている同一の放送ないし番組について同時に当該放送ないし番組の視聴を行うための操作が行われたときには、自機における当該視聴のための操作が先行した場合に視聴を許容し、自機における当該視聴のための操作が後続して行われた場合には、視聴を許容せず、且つ、他機が優先して排他的に当該放送ないし番組を視聴している旨の排他メッセージを第１システムコントローラ２２０側に送信するように制御を実行する。
【０１２６】
これにより、同一のコンディショナルアクセスカード１１０（１２０）および同一の視聴期間中については排他的に当該放送ないし番組の視聴が許容され、従って、視聴契約が遵守された上で、各個のデジタル放送受信機２００，３００に共通に、当該視聴契約に基づく当該放送ないし番組の視聴が可能になるという便益が得られる。また、状況に応じて、デジタル放送受信機２００（３００）のユーザは、他機３００（２００）が優先して排他的に当該放送ないし番組を視聴しているが故に放送ないし番組の視聴ができない（スクランブル解除処理が実行され得ない）ことを的確に認識することができる。
【０１２７】
更にまた、デジタル放送受信機２００，３００におけるコンディショナルアクセス機能部２３０の第２システムコントローラ２４０は、デジタル放送受信機２００（３００）において、何れのコンディショナルアクセスカード１１０，１２０に関しても視聴契約が締結されていない放送ないし番組の視聴を行うための操作が行われたときには、当該デジタル放送受信機２００（３００）の第１システムコントローラ２２０に向けて、視聴に関する視聴契約は未締結である旨の未契約メッセージ（それによる画面表示を図８に例示）を送信するべく制御を実行する。
これにより、デジタル放送受信機２００（３００）のユーザは、視聴契約が未締結であるが故に放送ないし番組の視聴ができない（スクランブル解除処理が実行され得ない）ことを的確に認識することができる。
【０１２８】
図１８〜図２０は、上述のような各利用シーンを図解によって要約した概念図である。
図１８の第１のシーンは、第１のコンディショナルアクセスカード１１０に視聴権限１が、第２のコンディショナルアクセスカード１２０に視聴権限２が記録されていて第１のデジタル放送受信機２００が視聴権限１、第２のデジタル放送受信機３００が視聴権限２を使用する場合である。
コンディショナルアクセスシステム１０に属する第１のデジタル放送受信機２００及び第２のデジタル放送受信機３００がそれぞれ異なるコンディショナルアクセスカード（１１０，１２０）にアクセスしそれぞれ異なる番組を視聴するため双方の端末とも視聴可能である。
【０１２９】
図１９の第２のシーンは、第１のコンディショナルアクセスカード１１０に複数の有料番組視聴権限、視聴権限１と視聴権限２が記録されていて第１のデジタル放送受信機２００が視聴権限１、第２のデジタル放送受信機３００が視聴権限２を使用する場合である。
コンディショナルアクセスシステム１０に属する第１のデジタル放送受信機２００及び第２のデジタル放送受信機３００が同一の第１のコンディショナルアクセスカード１１０にアクセスするが、視聴する番組が異なりＥＣＭデータも異なるためそれぞれの端末で視聴が可能である。
【０１３０】
図２０の第３のシーンは、第１のコンディショナルアクセスカード１１０に有料番組の視聴権限１が記録されおり、第１のデジタル放送受信機２００が視聴権限１を使用していて、更に、後続して、第２のデジタル放送受信機３００が視聴権限１を要する番組を視聴しようとする場合である。
コンディショナルアクセスシステム１０に属する第１のデジタル放送受信機２００及び第２のデジタル放送受信機３００の双方が、同一チャンネルの受信を行なおうとしており、ＥＣＭデータが同一となるため、後続して視聴のための操作を行った第２のデジタル放送受信機３００では視聴権限１を要する番組は視聴できない。この排他処理により１つの有料契約に対して複数のデジタル受信機での同時視聴はできず、視聴契約は遵守されることになる。
【図面の簡単な説明】
【０１３１】
【図１】本発明の実施の形態としてのコンディショナルアクセスシステムを表すブロック図である。
【図２】図１のコンディショナルアクセスシステムにおける第１のデジタル放送受信機としてのデジタル放送受像機の構成を表すブロック図である。
【図３】図１のコンディショナルアクセスシステムにおけるコンディショナルアクセス機能部の構成を表すブロック図である。
【図４】本発明に係る参照機器ＭＡＣアドレスをユーザが入力するためのユーザインターフェース画面を表す図である。
【図５】本発明の実施の形態としてのデジタル放送受信機に設けられているコンディショナルアクセスユニットで管理される参照機器ＭＡＣアドレスリストを表す図である。
【図６】本発明の実施の形態としてのデジタル放送受信機に設けられているコンディショナルアクセスユニットで管理される機器テーブルを表す図である。
【図７】視聴のための操作が行われた何れかのデジタル放送受信機において、他機が優先して排他的に当該放送ないし番組を視聴している旨を表示する場合の表示例を表す図である。
【図８】視聴のための操作が行われた何れかのデジタル放送受信機において、視聴契約が締結されていない放送ないし番組の視聴を行おうとしている旨を表示する場合の表示例を表す図である。
【図９】図１のコンディショナルアクセスシステムにおける第１または第２のデジタル放送受信機の動作を表すフローチャートである。
【図１０】コンディショナルアクセス機能部の動作に関するフローチャートである。
【図１１】コンディショナルアクセス機能部の動作に関するフローチャートである。
【図１２】コンディショナルアクセス機能部の動作に関するフローチャートである。
【図１３】コンディショナルアクセス機能部の動作に関するフローチャートである。
【図１４】コンディショナルアクセス機能部の動作に関するフローチャートである。
【図１５】コンディショナルアクセス機能部の動作に関するフローチャートである。
【図１６】コンディショナルアクセス機能部の動作に関するフローチャートである。
【図１７】図３のコンディショナルアクセス機能部で管理される機器テーブルの遷移を表す概念図である。
【図１８】本発明のコンディショナルアクセスシステムの第１の利用シーンを図解によって要約した概念図である。
【図１９】本発明のコンディショナルアクセスシステムの第２の利用シーンを図解によって要約した概念図である。
【図２０】本発明のコンディショナルアクセスシステムの第３の利用シーンを図解によって要約した概念図である。
【符号の説明】
【０１３２】
１０…コンディショナルアクセスシステム  １０１…第１のカードスロット  １０２…第２のカードスロット  １１０…第１のコンディショナルアクセスカード  １２０…第２のコンディショナルアクセスカード  ２００…第１のデジタル放送受信機  ２０２…デジタルチューナ  ２０４…スクランブル解除部  ２２０…第１システムコントローラ  ２３０…コンディショナルアクセス機能部  ２３１…コンディショナルアクセスカードインターフェース部  ２３２…ネットワークインターフェース部  ２４０…第２システムコントローラ  ３００…第２のデジタル放送受信機    ４００…伝送路  ４１０…ハブ  ４２０…ネットワーク
【図１】
2008035222.tif 000003
【図２】
2008035222.tif 000004
【図３】
2008035222.tif 000005
【図４】
2008035222.tif 000006
【図５】
2008035222.tif 000007
【図６】
2008035222.tif 000008
【図７】
2008035222.tif 000009
【図８】
2008035222.tif 000010
【図９】
2008035222.tif 000011
【図１０】
2008035222.tif 000012
【図１１】
2008035222.tif 000013
【図１２】
2008035222.tif 000014
【図１３】
2008035222.tif 000015
【図１４】
2008035222.tif 000016
【図１５】
2008035222.tif 000017
【図１６】
2008035222.tif 000018
【図１７】
2008035222.tif 000019
【図１８】
2008035222.tif 000020
【図１９】
2008035222.tif 000021
【図２０】
2008035222.tif 000022